(57)【要約】【課題】  預金者がＡＴＭを利用してより多くの預金することに関して動機付けを図れるようにしたキャッシュカード画像表示システムを提供する。【解決手段】  ＡＴＭは、入力手段と、目標預金残高情報と入出金情報とをサーバに送信する手段と、カードから読み取った固有情報をサーバに送信する手段と、サーバから受信した画像情報をキャッシュカードカードの情報表示部に表示させる手段とを有し、サーバは、預金者情報データベースと、画像情報データベースと、預金残高を算出する預金残高算出手段と、預金者情報データベースの登録情報の中から目標預金残高情報を抽出する目標預金残高情報抽出手段と、目標預金残高情報と預金残高とから達成率を算出する達成率算出手段と、画像情報データベースの中から、前記算出された達成率と関係付けられて登録されている画像情報を抽出する画像情報抽出手段と、抽出された画像情報をＡＴＭに送信する手段とを備える。【選択図】        図１
2007334621.tif 000002
【特許請求の範囲】
【請求項１】
固有情報が記憶された情報記憶部と、書換え可能に情報を表示する情報表示部とを有するキャッシュカードカードと、カードリーダライタを備えたＡＴＭ（現金自動支払機）と、前記ＡＴＭと通信可能に接続されているサーバとにより、預金者が任意に設定した目標預金残高に対する達成割合状況を、前記情報表示部に画像として表示可能にしたキャッシュカード画像表示システムであって、
前記ＡＴＭは、預金者が任意に設定する目標預金残高情報と、入出金情報とを入力する入力手段と、前記目標預金残高情報と前記入出金情報とを前記サーバに送信する手段と、前記カードリーダライタで前記キャッシュカードカードから読み取った固有情報を前記サーバに送信する手段と、前記サーバから受信した画像情報を前記カードリーダライタにより、前記カードの情報表示部に表示させる手段と、を有し、
前記サーバは、前記固有情報と、前記目標預金残高情報と、預金残高情報とを関係付けて登録する預金者情報データベースと、完成された画像情報及び複数の完成されていない画像情報と、前記目標預金残高に対する預金残高の達成率とが予め関係付けられて登録されている画像情報データベースと、前記ＡＴＭから受信した入出金情報に基づいて預金残高を算出する預金残高算出手段と、前記預金者情報データベースの登録情報の中から、前記ＡＴＭから受信した固有情報に関係付けられて登録されている目標預金残高情報を抽出する目標預金残高情報抽出手段と、前記目標預金残高情報抽出手段で抽出された目標預金残高情報と、前記預金残高算出手段で算出された預金残高とから、前記目標預金残高に対する預金残高の達成率を算出する達成率算出手段と、前記画像情報データベースの登録情報の中から、前記達成率算出手段で算出された達成率と関係付けられて登録されている画像情報を抽出する画像情報抽出手段と、前記画像情報抽出手段で抽出された画像情報を前記ＡＴＭに送信する手段と、
を備えていることを特徴とするキャッシュカード画像表示システム。
【請求項２】
前記画像情報データベースに登録されている複数の完成されていない画像情報が、前記達成率の割合が高くなるにしたがって、次第に完成された画像に近づいた状態を示す複数の画像により構成されていることを特徴とする請求項１記載のキャッシュカード画像表示システム。
【請求項３】
前記画像情報データベースに登録されている完成された画像情報が、社会的に知られている漫画の主人公、キャラクター、アイドル、芸能人、歌手、俳優、のいずれかを表す画像であることを特徴とする請求項１又は請求項２に記載のキャッシュカード画像表示システム。
【発明の詳細な説明】
【技術分野】
【０００１】
本発明は、キャッシュカードを用いてＡＴＭ（現金自動支払機）で金融取り引き処理を行う際に、現在の預金残高が、預金者が自由に設定した目標預金残高に対してどの程度達成しているのかを画像で表示することができるキャッシュカード画像表示システムに関する。
【背景技術】
【０００２】
従来、預金者がＡＴＭを利用して、預金を行ったり、預金の引き出しを行う際にはキャッシュカードが使用されており、取引情報である預金金額、引き出し金額、預金残高など情報は、ジャーナルにプリント出力されてＡＴＭから出てくるようにシステム化されている。
また、キャッシュカードがあれば、子供でもＡＴＭを利用して、預金を行ったり、預金の引き出しを行うことができるので、金融機関では子供に人気のあるアニメなどのキャラクターなどの画像をキャッシュカードカードに表示させた子供向けのキャッシュカードを発行して、子供も含めた顧客の拡販を図るなどしている。
【０００３】
しかしながら、子供向けのキャッシュカードを発行したとしても、発行されたキャッシュカードを用いてＡＴＭを利用した預金を行わなければ、金融機関にとって預金額の増額を図ることが出来ない。
また、子供にとっては、お気に入りのキャラクターなどの画像が表示してある子供向けのキャッシュカードを入手して収集することが目的であることが一般的であり、入手したキャッシュカードを用いてＡＴＭを利用して預金するという動機付けが見つからない。
【０００４】
したがって、従来のキャラクターなどの画像が表示された子供向けのキャッシュカードでは、顧客である子供に対して、発行されたキャッシュカードを用いてＡＴＭを利用して預金を行なうことに強い動機付けを行なうことができず、キャッシュカードを子供に発行しても預金額の増額を図ることができないという問題がある。
また、子供の親にとっても、お年玉や小遣いなどとして子供に与えた現金を無駄遣いしないようにするために、金融機関が子供向けに発行しているキャッシュカードを与えたとしても、預金を行うことに楽しみがないので、預金することの動機付けが弱く、必ずしも預金しないという問題がある。
【０００５】
従来、カードに情報を書き換えて表示するシステムとしては、下記の特許文献１、２などに示すものが公知となっている。
しかしながら、従来のカード表示システムでは、子供が預金を行うことに対しての強い動機付けを図ることができないという問題がある。
【０００６】
【特許文献１】特開平８−２１２４６０号公報
【特許文献２】特開２００３−２５７７４号公報
【発明の開示】
【発明が解決しようとする課題】
【０００７】
そこで、本発明は、預金者がＡＴＭを利用してより多くの預金することに関して動機付けを図れるようにすることができ、特に子供が預金者である場合において、その子供がＡＴＭを利用してより多くの預金することに関して動機付けを図れるようにしたキャッシュカード画像表示システムを提供する。
【課題を解決するための手段】
【０００８】
本発明のキャッシュカード画像表示システムは、固有情報が記憶された情報記憶部と、書換え可能に情報を表示する情報表示部とを有するキャッシュカードカードと、カードリーダライタを備えたＡＴＭ（現金自動支払機）と、前記ＡＴＭと通信可能に接続されているサーバとにより、預金者が任意に設定した目標預金残高に対する達成割合状況を、前記情報表示部に画像として表示可能にしたキャッシュカード画像表示システムであって、前記ＡＴＭは、預金者が任意に設定する目標預金残高情報と、入出金情報とを入力する入力手段と、前記目標預金残高情報と前記入出金情報とを前記サーバに送信する手段と、前記カードリーダライタで前記カードから読み取った固有情報を前記サーバに送信する手段と、前記サーバから受信した画像情報を前記カードリーダライタにより、前記キャッシュカードカードの情報表示部に表示させる手段と、を有し、前記サーバは、前記固有情報と、前記目標預金残高情報と、預金残高情報とを関係付けて登録する預金者情報データベースと、完成された画像情報及び複数の完成されていない画像情報と、前記目標預金残高に対する預金残高の達成率とが予め関係付けられて登録されている画像情報データベースと、前記ＡＴＭから受信した入出金情報に基づいて預金残高を算出する預金残高算出手段と、前記預金者情報データベースの登録情報の中から、前記ＡＴＭから受信した固有情報に関係付けられて登録されている目標預金残高情報を抽出する目標預金残高情報抽出手段と、前記目標預金残高情報抽出手段で抽出された目標預金残高情報と、前記預金残高算出手段で算出された預金残高とから、前記目標預金残高に対する預金残高の達成率を算出する達成率算出手段と、前記画像情報データベースの登録情報の中から、前記達成率算出手段で算出された達成率と関係付けられて登録されている画像情報を抽出する画像情報抽出手段と、前記画像情報抽出手段で抽出された画像情報を前記ＡＴＭに送信する手段と、を備えていることを特徴とする。
【０００９】
また、本発明のキャッシュカード画像表示システムは、前記画像情報データベースに登録されている複数の完成されていない画像情報が、前記達成率の割合が高くなるにしたがって、次第に完成された画像に近づいた状態を示す複数の画像により構成されていることを特徴とする。
【００１０】
更に、本発明のキャッシュカード画像表示システムは、前記画像情報データベースに登録されている完成された画像情報が、社会的に知られている漫画の主人公、キャラクター、アイドル、芸能人、歌手、俳優、のいずれかを表す画像であることを特徴とする。
【発明の効果】
【００１１】
本発明のキャッシュカード画像表示システムは、預金者がＡＴＭを用いて任意に目標預金残高を設定することができ、実際の預金残高が目標預金残高に近づくにしたがって、複数種類の画像がキャッシュカードカード上に順次表示されて書き換えられていくので、預金者である子供に対して預金を行う動機付けを与えることができ、その子供がＡＴＭを利用してより多くの預金することが期待できるという効果がある。
【００１２】
また、本発明のキャッシュカード画像表示システムは、実際の預金残高が目標預金残高に近づくにしたがって、予め設定されている完成画像に対し少しづつ近づいた画像内容として書き換えられて、キャッシュカードカードに表示されていくので、預金者である子供に画像を完成させる楽しみを与えながら預金を行う動機付けを与えることができるという効果がある。
【００１３】
更に、本発明のキャッシュカード画像表示システムは、画像情報データベースに、社会的に知られている漫画の主人公、キャラクター、アイドル、芸能人、歌手、俳優、のいずれかを表す画像が登録されているので、預金者である子供に対して、一生懸命に預金して目標預金残高になるまで預金しようという強い動機付けを与えることができるという効果がある。
【発明を実施するための最良の形態】
【００１４】
以下、本発明の実施形態に係るキャッシュカード画像表示システムについて、図面に基づいて詳細に説明する。
図１は、本発明の実施形態に係るキャッシュカード画像表示システムの概要構成を示す図、図２は、本発明の実施形態に係るキャッシュカード画像表示システムを利用して、完成画像が表示された状態を示すキャッシュカードの平面図、図３は、本発明の実施形態に係るキャッシュカード画像表示システムにおいて、画像情報データベースに登録されている画像の種類を説明する図、図４は、本発明の実施形態に係るキャッシュカード画像表示システムのシステムブロック図、図５及び図６は、本発明の実施形態に係るキャッシュカード画像表示システムの処理手順を示すフローチャート図である。
【００１５】
図１に示すように、本発明の実施形態に係るキャッシュカード画像表示システムは、預金者１に発行されたキャッシュカード２と、カードリーダライタ機能を備えたＡＴＭ（現金自動支払機）３と、通信ネットワーク１８によりＡＴＭ３と通信可能に接続されているサーバ４とにより構成されている。
そして、キャッシュカード２には、図２に示すように、固有情報が記憶された情報記憶部５と、書換え可能に情報を表示する情報表示部６とを有している。
情報記憶部５としては、ＩＣモジュールや磁気層などの公知技術の情報を記憶又は記録可能な構造が用いられている。
また、情報表示部６は、可逆性の感熱記録層などの公知技術の書換え可能な表示構造が用いられている。
【００１６】
キャッシュカード２の情報表示部６には、実際の預金残高と、預金者が任意に設定した目標預金残高との割合から、その目標に対する達成率から特定された画像情報やメッセージ情報などが書き換えられて表示される。
図２に示されているキャッシュカードカード２においては、実際の預金残高が、預金者が任意に設定した目標預金残高となり、その目標預金額を達成した場合の画像情報とメッセージ情報が表示される状態が示されている。
図２に示されている事例では、猿が太鼓をたたいている状態を示す画像表示７と、メッセージ表示８として、「預金額１００万円やったぜ目標達成！」の文字が表示されており、預金者がキャッシュカードカード２を見ることで、自分の預金残高が予め設定した目標を達成したことが簡単に確認できるように表示されている。
【００１７】
また、キャッシュカードカード２の情報表示部６に表示させる画像表示７とメッセージ表示８の種類は、任意に設定することができるが、本発明の実施形態に係るキャッシュカード画像表示システムにおいては、図３（ａ）〜（ｄ）に示す種類のものが予めサーバ４の画像情報データベースに登録されている。
まず、預金額１００万円を目標預金額として設定したとすると、実際の目標預金額が０円の場合には、図３（ａ）に示すように、太鼓の画像表示７ａと、「預金額０円目指せ１００万円！」というメッセージ表示８ａが表示される。
この画像内容では、その太鼓が何を意味しているのかあまり理解できない状態となっている。
【００１８】
次に、キャッシュカードを使用してＡＴＭを用いて入金することで、預金残額が３０万円になった場合には、図３（ｂ）に示す画像とメッセージが書き換えられて表示される。
この場合の画像内容として、太鼓の周りに猿の足が表示されている画像表示７ｂと、「預金額３０円ここであきらめないで！」というメッセージ表示８ｂが表示されている。
預金者は、太鼓の周りに猿の足が表示されたことで、当然に次に足の上方に胴体が次に表示されるであろうことを予測する。
そして、次の段階でどのようにその画像が進展していくのかといった興味や楽しみがわいてきて、そのことが、また預金をしようという動機付けとなる。
【００１９】
次に、キャッシュカードを使用してＡＴＭを用いて入金することで、預金残額が５０万円になった場合には、図３（ｃ）に示す画像とメッセージが書き換えられて表示される。
この場合の画像内容として、太鼓の周りに胴体の付いた猿の足が表示されている画像表示７ｃと、「預金額５０円折り返し地点です！」というメッセージ表示８ｃが表示されている。
預金者は、太鼓の周りに胴体の付いた猿の足が表示されたことで、当然に次に猿の顔が表示されるであろうことを予測する。
そして、次の段階でどのようにその顔の画像が表示されるのかといった興味や楽しみがわいてきて、そのことが、また預金をしようという動機付けとなる。
【００２０】
そして、次に、キャッシュカードを使用してＡＴＭを用いて入金することで、預金残額が１００万円になった場合には、図３（ｄ）に示す画像とメッセージが書き換えられて表示される。
この場合の画像内容として、太鼓をたたいている状態の猿が表示されている画像表示７ｄと、「預金額１００円やったぜ目標達成！」というメッセージ表示８ｄが表示されている。
この事例では、この画像内容が完成画像となっている。
また、上記の場合には、預金を行うことで預金残高が多くなっていく場合の事例を説明したが、預金を引き下ろして預金残高が減っていく場合には、預金残高に応じて設定された不完全な画像内容へと書き換えられていくことになる。
【００２１】
また、上記の事例では、単に猿が太鼓をたたいている状態を示す画像を用いて説明したが、社会的に知られている漫画の主人公、キャラクター、アイドル、芸能人、歌手、俳優、などを表す画像を完成画像として、それらの完成画像を預金残高額に応じて、目標預金残高額に近づけて完成させていくこととするように画像情報を予め画像情報データベースに登録させておくことが好ましい。
これにより、預金者に対して、早く完成させた画像をキャッシュカードに表示させたいというより強い動機付けを与えることが期待できる。
したがって、子供に限らず大人の預金者であっても、お気に入りの芸能人、歌手、俳優などの画像を完成させてキャッシュカードに表示させたいというより強い動機付けを与えることが期待できる。
【００２２】
次に、本発明の実施形態に係るキャッシュカード画像表示システムのシステム構成を、図４に基づいて説明する。
まず、ＡＴＭ３には、表示手段９、ジャーナル印字手段１０、カードリーダライタ１１、現金処理手段１２、記憶手段１３、入力手段１４、通信手段１５、画像情報書換表示制御手段１６、制御手段１７などが備えられている。
カードリーダライタ１１は、キャッシュカード２に備えられている情報記憶部５から固有情報を読み取る機能と、キャッシュカード２に備えられている情報表示部６に対して、画像表示及びメッセージ表示の書換えや消去を行う機能を有している。
【００２３】
また、入力手段１６は、預金者が任意に設定する目標預金残高情報と、入出金情報などを入力することができる。
ここで、目標預金残高情報とは、預金者が貯めたい金額の目標を自由に設定するためのものであり、表示手段９に表示される目標預金残高の入力欄に対して、入力手段１６を操作して自由に設定させることができるようにしてある。
また、カードリーダライタ１１でキャッシュカード２から読み取られた固有情報や、入力手段１６から入力された目標預金残高情報、入出金情報は通信ネットワーク１８を介してサーバ４に送信されるようにプログラムされている。
【００２４】
また、画像情報書換表示制御手段１６は、サーバ４から受信した画像情報をカードリーダライタ１１によりキャッシュカード２の情報表示部６に書き込ませるための制御を行う機能を有している。
【００２５】
次に、サーバ４には、預金残高算出手段１９、目標預金残高情報抽出手段２０、暗証番号照合手段２１、記憶手段２２、通信手段２３、達成率算出手段２４、画像情報抽出手段２５、画像情報送信制御手段２６、金融取引処理手段２７、制御手段２８、預金者情報データベース２９、画像情報データベース３０などが備えられている。
預金者情報データベース２９は、ＡＴＭから受信した固有情報、目標預金残高情報、預金残高情報とを関係付けて登録するデータベースである。
また、画像情報データベース３０には、完成された画像情報及び複数の完成されていない画像情報及びそれらの各画像に対応したメッセージ情報と、目標預金残高に対する預金残高の達成率とが予め関係付けられて登録されている。
【００２６】
ここで、画像情報データベース３０に登録されている完成された画像情報及び複数の完成されていない画像情報及びそれらの各画像に対応したメッセージ情報とは、図３において説明した各々の画像表示と、それらの画像表示に対応させて同時に表示する各々のメッセージ表示との関係を示している。
尚、複数の完成されていない画像情報とは、図３（ａ）〜（ｃ）までの途中段階の画像をしており、画像情報とは、図３（ｄ）に示す完成された状態の画像を言う。
また、画像情報データベース３０に登録される画像としては、上記したような完成される画像でも良いし、キャラクターの成長度合い別を表示する画像、もしくは、動きのある連続性のある画像であってもよい。
いずれにしても、達成率が表示としてわかればよい。
【００２７】
預金残高算出手段１９は、ＡＴＭ３から受信した入出金情報に基づいて預金残高を算出する機能を有している。
目標預金残高情報抽出手段２０は、預金者情報データベース３０の登録情報の中から、ＡＴＭ３から受信した固有情報に関係付けられて登録されている目標預金残高情報を抽出する機能を有している。
達成率算出手段２４は、目標預金残高情報抽出手段２０で抽出された目標預金残高情報と、預金残高算出手段１９で算出された預金残高とから、目標預金残高に対する預金残高の達成率を算出する機能を有している。
【００２８】
また、画像情報抽出手段２５は、画像情報データベース３０の登録情報の中から、達成率算出手段２４で算出された達成率と関係付けられて登録されている画像情報を抽出する機能を有している。
また、画像情報送信制御手段２６は、画像情報抽出手段２５で抽出された画像情報をＡＴＭ３に対して送信する機能を有している。
【００２９】
次に、本発明の実施形態に係るキャッシュカード画像表示システムの処理手順を、図５及び図６に示すフローチャート図に基づいて説明する。
まず、目標預金残高の設定登録を行う際の処理手順を、図５に基づいて説明する。
最初に預金者１は、ＡＴＭ３のカード挿入口からキャッシュカード２を挿入して、固有情報を読み取らせる。（ステップＳ１）
そして、その預金者自身が目標とする預金残高額の設定登録を行うために、表示手段９に表示される操作メニューの中から目標預金残高設定メニューを選択して、入力手段１６により目標預金残高情報の入力を行う。（ステップＳ２）
キャッシュカード２から読み取られた固有情報と、入力された目標預金残高情報は、通信ネットワーク１８を介してＡＴＭ３からサーバ４へと送信される。（ステップＳ３）
【００３０】
サーバ４は、預金者情報データベース２９に対して、受信した固有情報で特定される預金者の目標預金残高情報登録部に目標預金残高情報の登録を行う。（ステップＳ４）
以上の処理により、その預金者の目標預金残高の設定登録が行われる。
【００３１】
次に、預金者が預金を行った際の処理手順を、図６に基づいて説明する。
最初に預金者１は、ＡＴＭ３のカード挿入口からキャッシュカード２を挿入して、固有情報を読み取らせる。（ステップＳ５）
そして、その預金者は、表示手段９に表示される操作メニューの中から入金メニューを選択して、入金する現金を現金挿入部にセットして入金を行う。（ステップＳ６）
キャッシュカード２から読み取られた固有情報と、入金情報とは、通信ネットワーク１８を介してＡＴＭ３からサーバ４へと送信される。（ステップＳ７）
【００３２】
そして、サーバ４において、ＡＴＭ３から受信した入金情報に基づいてその預金者の預金残高額が算出される。（ステップＳ８）
次に、目標預金残高情報抽出手段２０で、預金者情報データベースの登録情報の中から、ＡＴＭ３から受信した固有情報に関係付けられて登録されている目標預金残高情報が抽出される。（ステップＳ９）
更に、達成率算出手段２４により、目標預金残高情報抽出手段２０で抽出された目標預金残高情報と、預金残高算出手段１９で算出された預金残高情報とから、目標預金残高に対する預金残高の達成率が算出される。（ステップＳ１０）
【００３３】
次に、画像情報抽出手段２５により、画像情報データベース３０の登録情報の中から、達成率算出手段２４で算出された達成率と関係付けられて登録されている画像情報が抽出される。（ステップＳ１１）
そして、画像情報抽出手段２５で抽出された画像情報が、ＡＴＭ３に送信される。（ステップＳ１２）
次に、ＡＴＭ３は、サーバから受信した画像情報をカードリーダライタ１１により、キャッシュカードカード２の情報表示部６に表示させる。（ステップＳ１３）
【００３４】
以上の処理により、キャッシュカードカード２の情報表示部６には、その預金者が予め設定した目標預金額に対して、現在のところどの程度の割合で目標が達成されているかが画像やメッセージにより表示され、それらの画像やメッセージは達成率が変わることで変化して表示されるので、特に、預金者が子供である場合には、預金を行う動機付けともなり、その子供がＡＴＭを利用してより多くの預金を行うことが期待できる。
また、預金者が大人であっても、画像情報として、人気の高い芸能人、歌手、俳優などを採用することで、それらの画像を完成させてキャッシュカードに表示させたいという強い動機付けを与えることが期待でき、預金者の獲得推進や、預金残高を増大などが期待できる。
【図面の簡単な説明】
【００３５】
【図１】本発明の実施形態に係るキャッシュカード画像表示システムの概要構成を示す図である。
【図２】本発明の実施形態に係るキャッシュカード画像表示システムを利用して、完成画像が表示された状態を示すキャッシュカードの平面図である。
【図３】本発明の実施形態に係るキャッシュカード画像表示システムにおいて、画像情報データベースに登録されている画像の種類を説明する図である。
【図４】本発明の実施形態に係るキャッシュカード画像表示システムのシステムブロックである。
【図５】本発明の実施形態に係るキャッシュカード画像表示システムの処理手順を示すフローチャート図である。
【図６】本発明の実施形態に係るキャッシュカード画像表示システムの処理手順を示すフローチャート図である。
【符号の説明】
【００３６】
１  預金者
２  キャッシュカード
３  ＡＴＭ（現金自動支払機）
４  サーバ
５  情報記憶部
６  情報表示部
７ａ，７ｂ，７ｃ，７ｄ，  画像表示
８ａ，８ｂ，８ｃ，８ｄ  メッセージ表示
９  表示手段
１０  ジャーナル印字手段
１１  カードリーダライタ
１２  現金処理手段
１３，２２  記憶手段
１４  入力手段
１５，２３  通信手段
１６  画像情報書換表示制御手段
１７，２８  制御手段
１８  通信ネットワーク
１９  預金残高算出手段
２０  目標預金残高情報抽出手段
２１  暗証番号照合手段
２４  達成率算出手段
２５  画像情報抽出手段
２６  画像情報送信制御手段
２７  金融取引処理手段
２９  預金者情報データベース
３０  画像情報データベース
１２  口座情報
１３  個人情報
１５  ＡＴＭ
１６  ネットワーク
１７  サーバ
１８  表示手段
１９  ジャーナル印字手段
２０  カード情報読取書込手段
２１  現金処理手段
２２，３１  記憶手段
２３  入力手段
２４  個人情報照合手段
２５  照合情報選択手段
２６，３２  通信手段
２７，３５  制御手段
３０  暗証番号照合手段
３３  本人認証手段
３４  金融取引処理手段
３６  預金者情報データベース
【図１】
2007334621.tif 000003
【図２】
2007334621.tif 000004
【図３】
2007334621.tif 000005
【図４】
2007334621.tif 000006
【図５】
2007334621.tif 000007
【図６】
2007334621.tif 000008